(57)【要約】【課題】煩雑な作業を経ることなく、残留している記録媒体を電源オン時に自動で排出する。【解決手段】プリンター１の動作制御部２０ａは、紙検出センサー１３の出力値に基づいて、記録媒体の末端が検出位置を通過したか否かを検出すると共に、記録媒体の末端が検出位置を通過した後、記録媒体の排出が完了していない状態である残留状態のときに電源のオフが指示された場合、残留状態であることを示す情報を記憶部２８に記憶する一方、電源のオンが指示された場合、残留状態であることを示す情報が記憶部２８に記憶されているか否かを判別し、当該情報が記憶されている場合は、搬送部を制御して、記録媒体の排出を実行する。【選択図】図２
2013220588.tif 000002
【特許請求の範囲】
【請求項１】
記録媒体に記録する記録ヘッドと、
搬送経路上で前記記録媒体を搬送方向に搬送する搬送部と、
前記搬送方向の前記記録ヘッドより上流側に位置する検出位置に設けられ、前記検出位置における前記記録媒体の有無を検出する検出部と、
電源がオフの状態でも情報を記憶可能な記憶部と、
前記検出部の出力値に基づいて、前記記録媒体の末端が前記検出位置を通過したか否かを検出すると共に、前記記録媒体の末端が前記検出位置を通過した後、前記記録媒体の排出が完了していない状態である残留状態のときに電源のオフが指示された場合、前記残留状態であることを示す情報を前記記憶部に記憶する一方、
電源のオンが指示された場合、前記残留状態であることを示す情報が前記記憶部に記憶されているか否かを判別し、当該情報が記憶されている場合は、前記搬送部を制御して、前記記録媒体の排出を実行する動作制御部と、
を備えることを特徴とする記録装置。
【請求項２】
各種情報を表示可能な表示部をさらに備え、
前記動作制御部は、
前記電源のオンの指示後に前記記録媒体の排出を実行する場合、前記表示部にその旨を表示することを特徴とする請求項１に記載の記録装置。
【請求項３】
前記検出部は、前記記録媒体の末端が前記検出位置を通過したことを検出する機能のほか、前記記録媒体の先端が前記検出位置を通過したことを検出することにより前記記録媒体がセットされたことを検出する機能を有していることを特徴とする請求項１又は２に記載の記録装置。
【請求項４】
記録媒体に記録する記録ヘッドと、
搬送経路上で前記記録媒体を搬送方向に搬送する搬送部と、
前記搬送方向の前記記録ヘッドより上流側に位置する検出位置に設けられ、前記検出位置における前記記録媒体の有無を検出する検出部と、
電源がオフの状態でも情報を記憶可能な記憶部と、を備える記録装置の制御方法であって、
前記検出部の出力値に基づいて、前記記録媒体の末端が前記検出位置を通過したか否かを検出すると共に、前記記録媒体の末端が前記検出位置を通過した後、前記記録媒体の排出が完了していない状態である残留状態のときに電源のオフが指示された場合、前記残留状態であることを示す情報を前記記憶部に記憶する一方、
電源のオンが指示された場合、前記残留状態であることを示す情報が前記記憶部に記憶されているか否かを判別し、当該情報が記憶されている場合は、前記搬送部を制御して、前記記録媒体の排出を実行することを特徴とする記録装置の制御方法。
【請求項５】
記録媒体に記録する記録ヘッドと、
搬送経路上で前記記録媒体を搬送方向に搬送する搬送部と、
前記記録ヘッドの搬送方向の前記記録ヘッドより上流側に位置する検出位置に設けられ、前記検出位置における前記記録媒体の有無を検出する検出部と、
電源がオフの状態でも情報を記憶可能な記憶部と、を備える記録装置を制御する制御部により実行されるプログラムであって、
前記制御部を、
前記検出部の出力値に基づいて、前記記録媒体の末端が前記検出位置を通過したか否かを検出すると共に、前記記録媒体の末端が前記検出位置を通過した後、前記記録媒体の排出が完了していない状態である残留状態のときに電源のオフが指示された場合、前記残留状態であることを示す情報を前記記憶部に記憶する一方、
電源のオンが指示された場合、前記残留状態であることを示す情報が前記記憶部に記憶されているか否かを判別し、当該情報が記憶されている場合は、前記搬送部を制御して、前記記録媒体の排出を実行する動作制御部として機能させることを特徴とするプログラム。
【発明の詳細な説明】
【技術分野】
【０００１】
本発明は、記録ヘッドにより記録媒体に記録する記録装置、当該記録装置の制御方法、及び、当該記録装置を制御するためのプログラムに関する。
【背景技術】
【０００２】
従来、セットされた記録媒体を装置外に排出する記録媒体排出手段を備える記録装置（画像形成装置）が知られている（例えば、特許文献１参照）。
この種の記録装置では、所定の位置における記録媒体の有無を検出するセンサーを備え、電源のオン時、センサーの出力値により当該所定の位置における記録媒体の有無を検出し、記録媒体が有ると判別した場合、自動で記録媒体を排出するものがある。
【先行技術文献】
【特許文献】
【０００３】
【特許文献１】特開２００４−１６７９８５号公報
【発明の概要】
【発明が解決しようとする課題】
【０００４】
ここで、上述した記録装置では、記録媒体がセンサーに対応する位置を通過しきった後に、排出が完了していない状態のときは、センサー（検出部）によって記録媒体が検出されず、自動で排出が行われないため、ユーザーが人為的手段により記録媒体を排出する必要があったが、この作業は煩雑であった。
本発明は、上述した事情に鑑みてなされたものであり、煩雑な作業を経ることなく、残留している記録媒体を電源オン時に自動で排出できるようすることを目的とする。
【課題を解決するための手段】
【０００５】
上記目的を達成するために、本発明は、記録媒体に記録する記録ヘッドと、搬送経路上で前記記録媒体を搬送方向に搬送する搬送部と、前記搬送方向の前記録ヘッドより上流側に位置する検出位置に設けられ、前記検出位置における前記記録媒体の有無を検出する検出部と、電源がオフの状態でも情報を記憶可能な記憶部と、前記検出部の出力値に基づいて、前記記録媒体の末端が前記検出位置を通過したか否かを検出すると共に、前記記録媒体の末端が前記検出位置を通過した後、前記記録媒体の排出が完了していない状態である残留状態のときに電源のオフが指示された場合、前記残留状態であることを示す情報を前記記憶部に記憶する一方、電源のオンが指示された場合、前記残留状態であることを示す情報が前記記憶部に記憶されているか否かを判別し、当該情報が記憶されている場合は、前記搬送部を制御して、前記記録媒体の排出を実行する動作制御部と、を備えることを特徴とする記録装置。
この構成によれば、記録媒体の末端が前記検出位置を通過した後、記録媒体の排出が完了していない状態、すなわち、センサーの出力値によっては記録媒体が残存していることが検出できない状態であっても、電源オン時に、自動で記録媒体が排出されるため、煩雑な作業を経ることなく、残留している記録媒体を電源オン時に自動で排出できる。
【０００６】
また、本発明は、各種情報を表示可能な表示部をさらに備え、前記動作制御部は、前記電源のオンの指示後に前記記録媒体の排出を実行する場合、前記表示部にその旨表示することを特徴とする。
この構成によれば、自動で記録媒体を排出する際は、その旨表示部に表示されるため、電源のオフ後電源がオンされる前に、記録装置に残存していた記録媒体が抜き取られ、電源がオンされた時点では記録媒体が記録装置に残存していない状態の時に、排出に係る処理のために搬送部が動作した場合であっても、当該動作は排出のために行われた正常なものであることをユーザーに報知できる。
【０００７】
また、本発明は、前記検出部は、前記記録媒体の末端が前記検出位置を通過したことを検出する機能のほか、前記記録媒体の先端が前記検出位置を通過したことを検出することにより前記記録媒体がセットされたことを検出する機能を有していることを特徴とする。
上記構成のように、１つのセンサーに、記録媒体の先端を検出する機能と、記録媒体の後端を検出する機能とを持たせた場合、機能ごとに別々のセンサーを持たせる必要がなくなるため、製造コストの削減、装置の小型化を図ることができる。しかしながら、記録媒体の先端を検出し、記録媒体がセットされたことを検出する、という機能を適切に実現するために、記録ヘッドからある程度、離間した位置に、センサーを設ける必要が生じる。そして、記録ヘッドとセンサーとの位置が離間していればいるほど、残留状態が生じる可能性は高くなるため、上記構成では、機能ごとに別々のセンサーを持たせた構成と比較して、残留状態が生じる可能性が高いといえる。以上を踏まえ、上記構成によれば、残留状態が発生しやすく、従って、電源オン時に残留状態の解消がより強く求められる記録装置について、煩雑な作業を経ることなく、残留している記録媒体を電源オン時に自動で排出できる。
【０００８】
また、上記目的を達成するために、本発明は、記録媒体に記録する記録ヘッドと、搬送経路上で前記記録媒体を搬送方向に搬送する搬送部と、前記搬送方向の前記記録ヘッドより上流側に位置する検出位置に設けられ、前記検出位置における前記記録媒体の有無を検出する検出部と、電源がオフの状態でも情報を記憶可能な記憶部と、を備える記録装置の制御方法であって、前記検出部の出力値に基づいて、前記記録媒体の末端が前記検出位置を通過したか否かを検出すると共に、前記記録媒体の末端が前記検出位置を通過した後、前記記録媒体の排出が完了していない状態である残留状態のときに電源のオフが指示された場合、前記残留状態であることを示す情報を前記記憶部に記憶する一方、電源のオンが指示された場合、前記残留状態であることを示す情報が前記記憶部に記憶されているか否かを判別し、当該情報が記憶されている場合は、前記搬送部を制御して、前記記録媒体の排出を実行することを特徴とする。
この制御方法によれば、記録媒体の末端が前記検出位置を通過した後、記録媒体の排出が完了していない状態、すなわち、センサーの出力値によっては記録媒体が残存していることが検出できない状態であっても、電源オン時に、自動で記録媒体が排出されるため、煩雑な作業を経ることなく、残留している記録媒体を電源オン時に自動で排出できる。
【０００９】
また、上記目的を達成するために、本発明は、記録媒体に記録する記録ヘッドと、搬送経路上で前記記録媒体を搬送方向に搬送する搬送部と、前記搬送方向の前記記録ヘッドより上流側に位置する検出位置に設けられ、前記検出位置における前記記録媒体の有無を検出する検出部と、電源がオフの状態でも情報を記憶可能な記憶部と、を備える記録装置を制御する制御部により実行されるプログラムであって、前記制御部を、前記検出部の出力値に基づいて、前記記録媒体の末端が前記検出位置を通過したか否かを検出すると共に、前記記録媒体の末端が前記検出位置を通過した後、前記記録媒体の排出が完了していない状態である残留状態のときに電源のオフが指示された場合、前記残留状態であることを示す情報を前記記憶部に記憶する一方、電源のオンが指示された場合、前記残留状態であることを示す情報が前記記憶部に記憶されているか否かを判別し、当該情報が記憶されている場合は、前記搬送部を制御して、前記記録媒体の排出を実行する動作制御部として機能させることを特徴とする。
このプログラムによれば、記録媒体の末端が前記検出位置を通過した後、記録媒体の排出が完了していない状態、すなわち、センサーの出力値によっては記録媒体が残存していることが検出できない状態であっても、電源オン時に、自動で記録媒体が排出されるため、煩雑な作業を経ることなく、残留している記録媒体を電源オン時に自動で排出できる。
【発明の効果】
【００１０】
本発明によれば、煩雑な作業を経ることなく、残留している記録媒体を電源オン時に自動で排出できる。
【図面の簡単な説明】
【００１１】
【図１】本実施形態に係るプリンターの構成を示す図である。
【図２】プリンターの機能的構成を示すブロック図である。
【図３】プリンターの動作を示すフローチャートである。
【図４】プリンターの動作を示すフローチャートである。
【発明を実施するための形態】
【００１２】
以下、図面を参照して本発明の実施形態について説明する。
図１は、本実施形態に係るプリンター１（記録装置）の内部構造を模式的に示す図である。
このプリンター１は、単票紙５（記録媒体）がセット可能に構成され、この単票紙５に画像を記録する機能を有している。
図１に示すように、プリンター１は、単票紙５が搬送される経路である搬送経路１０を備えており、この搬送経路１０には、記録ヘッド１１が設けられている。記録ヘッド１１は、インクリボンに記録ワイヤを打ち当ててインクリボンのインクを単票紙５に付着させるシリアル・インパクト・ドット・マトリクス式のヘッドであり、キャリッジ１２に搭載されて、主走査正方向ＹＪ１、又は、主走査逆方向ＹＪ２に走査しつつ、単票紙５にドットを形成する。
単票紙５の搬送方向ＹＪ３の記録ヘッド１１より上流側の検出位置Ｐ１には、紙検出センサー１３（検出部）が設けられている。紙検出センサー１３は、透過型、又は、反射型の光センサーであり、単票紙５の先端が通過したときにそのことを検出することにより、単票紙５がプリンター１にセットされたことを検出する機能、及び、単票紙５の末端が通過したときに、そのことを検出する機能を有する。ここで、単票紙５の先端は、単表紙５の搬送方向ＹＪ３の先頭端であり、後端は、その反対側端である。
記録ヘッド１１と紙検出センサー１３との間には、第１搬送ローラー１４（搬送部）が設けられ、さらに、搬送方向ＹＪ３の記録ヘッド１１より下流側には、第２搬送ローラー１５（搬送部）が設けられている。これら搬送ローラーのそれぞれは、駆動ローラーと従動ローラーとを有し、駆動ローラーと従動ローラーとにより搬送対象の単票紙５を挟持して、搬送方向ＹＪ３、又は、その逆方向に単票紙５を搬送する。
【００１３】
図２は、本実施形態に係るプリンター１の機能的構成を示すブロック図である。
図２に示すように、プリンター１は、ＣＰＵや、ＲＯＭ、ＲＡＭ、その他の周辺回路等を有し、プリンター１の各部を中枢的に制御する制御部２０を備えている。
制御部２０は、ヘッド駆動回路２１を介して記録ヘッド１１を駆動して、単票紙５への記録を実行する。制御部２０は、動作制御部２０ａを備えているが、これについては後述する。また、制御部２０は、モーター駆動回路２２を介して、キャリッジ駆動モーター２３を駆動して、キャリッジ１２を主走査正方向ＹＪ１、又は、主走査逆方向ＹＪ２に走査させることにより、このキャリッジ１２に搭載された記録ヘッド１１を各方向に走査させる。また、制御部２０は、モーター駆動回路２２、及び、紙送りモーター２５を介して、単票紙５の搬送路上に設けられた第１搬送ローラー１４、及び、第２搬送ローラー１５を同期して回転させて、単票紙５を搬送方向ＹＪ３、又は、その逆方向に搬送する。本実施形態では、第１搬送ローラー１４、及び、第２搬送ローラー１５、その他の付随する機構が協働して搬送部として機能する。
表示部２６は、各種表示パネルや、ＬＥＤ等を備え、各種情報を報知する。入力部２７は、プリンター１に設けられた操作スイッチに接続され、操作スイッチに対する操作を検出し、制御部２０に出力する。記憶部２８は、ＥＥＰＲＯＭ等の不揮発性メモリーを備え、各種データを書き換え可能に、不揮発的に記憶する。記憶部２８に記憶されたデータは、プリンター１の電源がオフとされた後も、保持される。インターフェイス（Ｉ／Ｆ）部２９は、制御部２０の制御の下、ホストコンピューター６との間で通信規格に準拠した通信を行う。
紙検出センサー１３は、上述したように、記録ヘッド１１の上流側の検出位置Ｐ１に設けられた光センサーである。紙検出センサー１３の出力値は、所定の信号処理回路でＡ／Ｄ変換を含む適切な信号処理が施された上で、制御部２０に出力される。制御部２０の動作制御部２０ａは、紙検出センサー１３の出力値に基づいて、検出位置Ｐ１を単票紙５の先端が通過したことを検出することにより、単票紙５がプリンター１にセットされたことを検出し、また、検出位置Ｐ１を単票紙５の後端が通過したことを検出する。この動作制御部２０ａの機能は、制御部２０のＣＰＵがファームウェアを読み出して実行する等、ハードウェアとソフトウェアとの協働により実現される。
【００１４】
ホストコンピューター６は、プリンタードライバーがインストールされており、プリンタードライバーの機能により、プリンター１に対して、適宜、制御コマンドを送信し、プリンター１を制御する。
【００１５】
ところで、本実施形態に係るプリンター１は、電源がオンされたときに、単票紙５がプリンター１の内部（搬送経路１０の途中）に残っている状態の時は、自動で、単票紙５を排出する機能を有している。詳述すると、電源がオンされたタイミングで、制御部２０は、紙検出センサー１３の出力値を取得する。そして、制御部２０は、紙検出センサー１３の出力値に基づいて、検出位置Ｐ１に対応する位置に、単票紙５が位置しているか否かを判別し、位置していると判別した場合は、単票紙５がプリンター１に残っているものとして、第１搬送ローラー１４、及び、第２搬送ローラー１５を所定方向に回転させて、排出処理を実行し、単票紙５を排出する。排出処理とは、単票紙５を排出するための処理であり、ファームウェアの機能により所定のシーケンスで各種機構が作動し、単票紙５の装置外への確実な排出が行われる。このように、電源オン時に、検出位置Ｐ１に対応する位置に単票紙５が位置している場合は、自動で単票紙５を排出することにより、プリンター１に単票紙５が残っている状態で、各種処理が行われ何らかのエラーが発生することを未然に防止でき、かつ、ユーザーが人為的な手段により単票紙５を排出する必要がないため、ユーザーの利便性を向上できる。
しかしながら、本実施形態に係るプリンター１は、紙検出センサー１３が設けられた位置である検出位置Ｐ１と、記録ヘッド１１が設けられた位置とが搬送方向ＹＪ３に離間している。このため、単票紙５の末端が、検出位置Ｐ１を通過した後、上述した排出処理が行われておらず、単票紙５がプリンター１に残留している状態（このような状態を「残留状態」と表現する。）のときに、電源がオフされる場合がある。残留状態は、単票紙５の末端が検出位置Ｐ１を通過している状態であり、検出位置Ｐ１に単票紙５が位置している状態と、明確に区別される。このような場合であっても、電源がオンされたときに単票紙５が自動で排出されることが求められることには変わりはないものの、残留状態のときは、紙検出センサー１３の出力値によってはプリンター１に単票紙５が残っていることが検出されないため、従来は、自動で単票紙５が排出されることはなく、ユーザーが手動で単票紙５を排出する必要があった。
特に、本実施形態に係るプリンター１では、紙検出センサー１３は、単票紙５の先端を検出する機能、及び、後端を検出する機能を兼ねており、これにより、機能ごとにセンサーを設ける場合と比較して、コストの削減、製造容易性の向上、及び、装置の小型化を実現している。ここで、紙検出センサー１３によって単票紙５がセットされたことを適切に検出するためには、第１搬送ローラー１４の搬送方向ＹＪ３の上流側にセンサーを設ける必要があり、必然的に、記録ヘッド１１と、紙検出センサー１３との搬送方向ＹＪ３における離間距離が長くなってしまう。そして、記録ヘッド１１と、紙検出センサー１３との離間距離が大きければ大きいほど、残留状態が現出する可能性が高くなるため、本実施形態に係るプリンター１では、電源オン時に残留状態が発生している場合における単票紙５の自動排出が、より強く、求められる。
以上を踏まえ、本実施形態に係るプリンター１は、以下の動作を実行する。
【００１６】
図３は、電源オフ時のプリンター１の動作を示すフローチャートである。
図３に示すように、まず、プリンター１の制御部２０の動作制御部２０ａは、電源がオフされたか否かを監視する（ステップＳＡ１）。電源がオフされた場合（ステップＳＡ１：ＹＥＳ）、動作制御部２０ａは、残留状態が発生しているか否かを判別する（ステップＳＡ２）。具体的には、動作制御部２０ａは、電源がオンされている間、紙検出センサー１３の出力値を監視することにより、単票紙５がプリンター１にセットされ、かつ、単票紙５の末端が検出位置Ｐ１を通過したか否かを監視し、単票紙５の末端が検出位置Ｐ１を通過し、かつ、上述した排出処理が完了していない場合は、残留状態が発生していると判別する。
残留状態が発生していない場合（ステップＳＡ２：ＮＯ）、動作制御部２０ａは、電源オフに伴う各種処理を実行して、電源をオフする（ステップＳＡ３）。
一方、残留状態が発生している場合（ステップＳＡ２：ＹＥＳ）、動作制御部２０ａは、記憶部２８の所定の記憶領域に、残留状態が発生している旨を示すデータを記憶する（ステップＳＡ４）。
【００１７】
図４は、電源オン時のプリンター１の動作を示すフローチャートである。なお、電源のオンに伴って、各種初期処理が行われるが、初期処理に関しては詳述しない。
図４に示すように、電源のオンが指示されると（ステップＳＢ１）、プリンター１の制御部２０の動作制御部２０ａは、記憶部２８を参照し（ステップＳＢ２）、所定の記憶領域に、残留状態が発生している旨を示すデータが記憶されているか否かを判別する（ステップＳＢ３）。当該データが記憶されていない場合（ステップＳＢ３：ＮＯ）、動作制御部２０ａは、処理を終了する。
一方、当該データが記憶されている場合（ステップＳＢ３：ＹＥＳ）、換言すれば、残留状態のときに電源のオフが指示されており、残留状態が発生している可能性が継続して発生している状態である可能性がある場合、動作制御部２０ａは、まず、表示部２６を制御して、まず、排出処理を行っている旨の表示を行う（ステップＳＢ４）。当該表示は、例えば、プリンター１が液晶表示パネル等の表示パネルを有している場合は、その旨の情報を表示し、また、表示機構としてのＬＥＤを有している場合は、所定の態様でＬＥＤを点灯、消灯することにより行う。
次いで、動作制御部２０ａは、排出処理を実行する（ステップＳＢ５）。この排出処理により、単票紙５が排出され、残留状態が解消する。
このように、本実施形態では、動作制御部２０ａは、電源オフ時に残留状態が発生している場合は、その旨を示すデータを記憶部２８に記憶し、電源オン時に、記憶部２８を参照して、当該データが記憶されているか否かを判別することによって、電源オフ時に残留状態が発生していたか否かを判別し、電源オフ時に残留状態が発生していた場合は、当該残留状態が解消していない可能性があるため、自動で排出処理を行う。このため、残留状態が発生している場合であっても、電源オン時にユーザーが手動で単票紙５を排出させる必要が無く、ユーザーが煩雑な作業を行う必要がない。
次いで、動作制御部２０ａは、表示部２６を制御して、排出処理を行っている旨の表示を停止する（ステップＳＢ５）。
【００１８】
以上説明したように、本実施形態に係るプリンター１は、記録ヘッド１１と、搬送経路１０上で単票紙５を搬送方向ＹＪ３に搬送する搬送部（第１搬送ローラー１４、第２搬送ローラー１５等）と、記録ヘッド１１の搬送方向ＹＪ３の上流側に位置する検出位置Ｐ１に設けられ、当該検出位置Ｐ１における単票紙５の有無を検出する紙検出センサー１３と、電源がオフの状態でも情報を記憶可能な記憶部２８と、を備えている。そして、動作制御部は、紙検出センサー１３の出力値に基づいて、単票紙５の末端が検出位置Ｐ１を通過したか否かを検出すると共に、単票紙５の末端が検出位置Ｐ１を通過した後、単票紙５の排出が完了していない状態である残留状態のときに電源のオフが指示された場合、残留状態であることを示す情報を記憶部２８に記憶する一方、電源のオンが指示された場合、残留状態であることを示す情報が記憶部２８に記憶されているか否かを判別し、当該情報が記憶されている場合は、搬送部を制御して、単票紙５の排出を実行する。
この構成によれば、単票紙５の末端が検出位置Ｐ１を通過した後、単票紙５の排出が完了していない状態、すなわち、紙検出センサー１３の出力値によっては単票紙５が残存していることが検出できない状態であっても、電源オン時に、自動で単票紙５が排出されるため、煩雑な作業を経ることなく、残留している単票紙５を電源オン時に自動で排出できる。
【００１９】
また、本実施形態では、動作制御部２０ａは、電源のオンの指示後に単票紙５の排出を実行する場合、表示部２６にその旨表示する。
この構成によれば、自動で単票紙５を排出する際は、その旨、表示部２６に表示されるため、電源のオフ後電源がオンされる前に、プリンター１に残存していた単票紙５が抜き取られ、電源がオンされた時点では単票紙５がプリンター１に残存していない状態の時に、排出に係る処理のために搬送部（第１搬送ローラー１４、第２搬送ローラー１５等）が動作した場合であっても、当該動作は排出のために行われた正常なものであることをユーザーに認識させることができる。
【００２０】
また、本実施形態では、紙検出センサー１３は、単票紙５の末端が検出位置Ｐ１を通過したことを検出する機能のほか、単票紙５の先端が検出位置Ｐ１を通過したことを検出することにより単票紙５がセットされたことを検出する機能を有している。
上述したように、紙検出センサー１３によって単票紙５がセットされたことを適切に検出るために、本実施形態に係るプリンター１では、記録ヘッド１１と、紙検出センサー１３との搬送方向ＹＪ３における離間距離が長く、残留状態が現出する可能性が高いが、このようなプリンター１について、煩雑な作業を経ることなく、残留している単票紙５を電源オン時に自動で排出できる。
【００２１】
なお、上述した実施の形態は、あくまでも本発明の一態様を示すものであり、本発明の範囲内で任意に変形および応用が可能である。
例えば、上述した実施形態に係るプリンター１は、ドットインパクト式の記録装置であったが、記録形式はこれに限らずインクジェット式、サーマル等何であってもよい。すなわち、記録ヘッドの上流側に、記録媒体の末端が通過したことを検出するためのセンサーが設けられているものについて、広く本発明を適用可能である。また、紙検出センサーは、光センサーだけでなく、機械式センサーであってもよい。
また、図２に示す各機能ブロックはハードウェアとソフトウェアの協働により任意に実現可能であり、特定のハードウェア構成を示唆するものではない。また、プリンター１の各機能ブロックの機能を、プリンター１に外部接続される別の装置に持たせるようにしてもよい。また、プリンター１は、外部接続される記憶媒体に記憶させたプログラムを実行することにより、各種動作を実行するようにしてもよい。
【符号の説明】
【００２２】
１…プリンター（記録装置）、５…単票紙（記録媒体）、６…ホストコンピューター、１０…搬送経路、１１…記録ヘッド、１３…紙検出センサー（検出部）、１４…第１搬送ローラー（搬送部）、１５…第２搬送ローラー（搬送部）、２０…制御部、２０ａ…動作制御部、２６…表示部、２８…記憶部。
【図１】
2013220588.tif 000003
【図２】
2013220588.tif 000004
【図３】
2013220588.tif 000005
【図４】
2013220588.tif 000006